(57)【要約】【課題】より簡易な手順で中皿上の具材の移し替えを円滑に行うことが可能な容器の中皿構造を提供する。【解決手段】容器本体開口１５の内側段部１６に内装される具材載置用の中皿３０であって、中皿は、内側の皿部３１と外側の周壁部３２を有する左右２つの分割体４０，５０よりなり、各分割体の対向する皿部には互いに摺接し重合する合着面６０，７０が形成されていて、容器本体開口の内側段部への内装時には合着面の重合により左右の分割体が一体化されているとともに、容器本体開口の内側段部から取外し分割体の各周壁部近傍を外方に引張ることにより合着面が摺動して分割体が左右に分離して両者の重合が解除され、中皿に載置された具材が容器本体内に落下するように構成された。【選択図】図７
2019089567.tif 000002
【特許請求の範囲】
【請求項１】
容器本体開口の内側段部に内装される具材載置用の中皿であって、
前記中皿は、内側の皿部と外側の周壁部を有する左右２つの分割体よりなり、
前記各分割体の対向する皿部には互いに摺接し重合する合着面が形成されていて、
前記容器本体開口の内側段部への内装時には前記合着面の重合により左右の分割体が一体化されているとともに、
前記容器本体開口の内側段部から取外し前記分割体の各周壁部近傍を外方に引張ることにより前記合着面が摺動して前記分割体が左右に分離して両者の重合が解除され、前記中皿に載置された具材が容器本体内に落下するように構成された
ことを特徴とする容器の中皿構造。
【請求項２】
前記皿部の対向する縁部に切り欠き部が設けられ該切り欠き部を介して互いに摺接し重合する合着面が形成されている請求項１に記載の容器の中皿構造。
【請求項３】
前記皿部の対向する縁部にスリット部が設けられ該スリット部を介して互いに摺接し重合する合着面が形成されている請求項１に記載の容器の中皿構造。
【請求項４】
前記分割体の周壁部近傍に指掛け部が形成されている請求項１ないし３のいずれかに記載の容器の中皿構造。
【請求項５】
前記皿部に補強リブが形成されている請求項１ないし４のいずれかに記載の容器の中皿構造。
【請求項６】
前記補強リブは前記皿部の合着面で摺接し重合が可能に形成されている請求項５に記載の容器の中皿構造。
【請求項７】
前記補強リブは前記分割体の引張方向と平行に形成されている請求項５または６に記載の容器の中皿構造。
【発明の詳細な説明】
【技術分野】
【０００１】
本発明は容器の中皿構造に関し、特に容器本体の開口部に装着される具材載置用の中皿を備えた容器の中皿構造に関する。
【背景技術】
【０００２】
近年、コンビニエンスストア等で販売される飲食物の種類は極めて多彩であり、惣菜や弁当やサンドイッチ等に加えてサラダ、デザート、または麺類、その他の加工食品類と広がりを見せている。このような食品を販売する場合、合成樹脂シート製の容器本体に蓋体を重ね合わせた形態の容器が多用されている。
【０００３】
列記の食品のうち、弁当類では１個の容器内に全ての食材を盛りつける包装、販売が一般的である。これは、詰め合わされる食材同士の味がよくなじみ、全体として美味しさを呈する加工、調理法によるためである。また、使用される食材の水分含有率も比較的そろっているためである。これに対し、主に蕎麦、うどん、パスタ等の麺類の場合、製造時点で麺類とその上に載せる具材とを一緒とすることもある。しかし、麺類とその上に載せる具材の水分含有率との間に差があることもある。このことから、喫食時にすでにふやけた状態となり食味が悪くなりやすい。近年、食味に対する要望が高まっているとともに、各小売店、販売者にとって、他業者との差別化、顧客満足度を得るために無視できない問題である。
【０００４】
そこで、比較的簡便な対応として、容器本体及び蓋体からなる容器の中に、さらに中皿（中蓋）を使用した容器がある（例えば、特許文献１参照。）。この容器によると、例えば、容器本体の最下部に麺類を収容し、容器本体の開口部に中皿を置き、この中皿に適宜の具材を載せ、最後に蓋体を被せることとなる。この容器の場合、喫食前の食材同士の混合を抑えて、できたての食味に近づけることは可能である。また、トッピングされる具材が中皿上に並べられるため、見た目の華やかさも演出される。
【０００５】
この容器では、中皿上の具材を容器本体側へ移す場合、箸等で具材をつまんで逐一移し替えたり、容器本体の開口部上方で中皿を傾けて容器本体内へ具材を落としたりする等の手順で行うことが一般的である。しかしながら、具材を逐一移し替えるのは使用者に煩わしさを与えてしまう。また、中皿を傾けて具材を落とすのは具材をこぼしやすいので、こぼさないように注意する必要があったり、こぼしてしまうことで周囲を汚してしまったりする。
【０００６】
そこで出願人は、左右２つの分割体が合着部を介して一体化される中皿を提案した（例えば、特許文献２参照）。この中皿では、各分割体の左右の外縁部を持ち上げて合着部の一体化を解除することにより、分割体を分離さて中皿に載置された具材を容器内へ落下させる。そのため、使用者が具材を逐一移し替える煩わしさがなくなり、簡易な手順で具材を移すことができる。
【０００７】
このような具材載置用の中皿では、より簡易かつ円滑な具材の落下を可能とするために、中皿構造の改良が求められていた。
【先行技術文献】
【特許文献】
【０００８】
【特許文献１】実用新案登録第３１３３０９８号公報
【特許文献２】特開２０１６−５５８９４号公報
【発明の概要】
【発明が解決しようとする課題】
【０００９】
本発明は、前記の点に鑑みなされたものであり、より簡易な手順で中皿上の具材の移し替えを円滑に行うことが可能な容器の中皿構造を提供するものである。
【課題を解決するための手段】
【００１０】
すなわち、請求項１の発明は、容器本体開口の内側段部に内装される具材載置用の中皿であって、前記中皿は、内側の皿部と外側の周壁部を有する左右２つの分割体よりなり、前記各分割体の対向する皿部には互いに摺接し重合する合着面が形成されていて、前記容器本体開口の内側段部への内装時には前記合着面の重合により左右の分割体が一体化されているとともに、前記容器本体開口の内側段部から取外し前記分割体の各周壁部近傍を外方に引張ることにより前記合着面が摺動して前記分割体が左右に分離して両者の重合が解除され、前記中皿に載置された具材が容器本体内に落下するように構成されたことを特徴とする容器の中皿構造に係る。
【００１１】
請求項２の発明は、前記皿部の対向する縁部に切り欠き部が設けられ該切り欠き部を介して互いに摺接し重合する合着面が形成されている請求項１に記載の容器の中皿構造に係る。
【００１２】
請求項３の発明は、前記皿部の対向する縁部にスリット部が設けられ該スリット部を介して互いに摺接し重合する合着面が形成されている請求項１に記載の容器の中皿構造に係る。
【００１３】
請求項４の発明は、前記分割体の周壁部近傍に指掛け部が形成されている請求項１ないし３のいずれかに記載の容器の中皿構造に係る。
【００１４】
請求項５の発明は、前記皿部に補強リブが形成されている請求項１ないし４のいずれかに記載の容器の中皿構造に係る。
【００１５】
請求項６の発明は、前記補強リブは前記皿部の合着面で摺接し重合が可能に形成されている請求項５に記載の容器の中皿構造に係る。
【００１６】
請求項７の発明は、前記補強リブは前記分割体の引張方向と平行に形成されている請求項５または６に記載の容器の中皿構造に係る。
【発明の効果】
【００１７】
請求項１の発明に係る容器の中皿構造によると、容器本体開口の内側段部に内装される具材載置用の中皿であって、前記中皿は、内側の皿部と外側の周壁部を有する左右２つの分割体よりなり、前記各分割体の対向する皿部には互いに摺接し重合する合着面が形成されていて、前記容器本体開口の内側段部への内装時には前記合着面の重合により左右の分割体が一体化されているとともに、前記容器本体開口の内側段部から取外し前記分割体の各周壁部近傍を外方に引張ることにより前記合着面が摺動して前記分割体が左右に分離して両者の重合が解除され、前記中皿に載置された具材が容器本体内に落下するように構成されたため、極めて簡便な手順によって、中皿上の具材を容器本体内へ円滑に移し替えることが可能である。
【００１８】
請求項２の発明によると、請求項１の発明において、前記皿部の対向する縁部に切り欠き部が設けられ該切り欠き部を介して互いに摺接し重合する合着面が形成されているため、重合面が交差して重合されて皿部の面方向に対して強固に結合され、重合が解除されにくくなる。
【００１９】
請求項３の発明によると、請求項１の発明において、前記皿部の対向する縁部にスリット部が設けられ該スリット部を介して互いに摺接し重合する合着面が形成されているため、形成が容易で製造効率が向上するとともに、重合面が交差して重合されて皿部の面方向に対して強固に結合され、重合が解除されにくくなる。
【００２０】
請求項４の発明によると、請求項１ないし３の発明において、前記分割体の周壁部近傍に指掛け部が形成されているため、分割体の分離を容易かつ安定して行うことが可能となる。
【００２１】
請求項５の発明によると、請求項１ないし４の発明において、前記皿部に補強リブが形成されているため、皿部の強度が向上して具材からの荷重による皿部のたわみ等の発生が抑制され、左右の分割体の重合がより解除されにくくなる。
【００２２】
請求項６の発明によると、請求項５の発明において、前記補強リブは前記皿部の合着面で摺接し重合が可能に形成されているため、合着面が補強リブを介して位置決めされて適切に重合される。
【００２３】
請求項７の発明によると、請求項５または６の発明において、前記補強リブは前記分割体の引張方向と平行に形成されているため、重合する補強リブが引張時に摺動しやすくなり、左右の分割体を円滑に分離させることが可能となる。
【図面の簡単な説明】
【００２４】
【図１】本発明に係る中皿を備えた容器の分解斜視図である。
【図２】図１の容器の封止時の断面図である。
【図３】本発明の第１実施形態に係る中皿の平面図である。
【図４】図３の中皿を構成する左右の分割体の平面図である。
【図５】分離前の中皿の要部断面図である。
【図６】分離後の中皿の要部断面図である。
【図７】中皿の分離過程を表す平面図である。
【図８】本発明の第２実施形態に係る中皿の平面図である。
【図９】図８の中皿を構成する左右の分割体の平面図である。
【図１０】本発明の第３実施形態に係る中皿の平面図である。
【図１１】図１０の中皿を構成する左右の分割体の平面図である。
【図１２】本発明の第４実施形態に係る中皿の平面図である。
【図１３】図１２の中皿を構成する左右の分割体の平面図である。
【図１４】本発明の第５実施形態に係る中皿の平面図である。
【図１５】図１４の中皿を構成する左右の分割体の平面図である。
【発明を実施するための形態】
【００２５】
図１，２に示す容器１０は、コンビニエンスストア等で販売される加工食品のうち、特に複数の食材を分離して収容するためのものであって、容器本体１１と、蓋体２０と、中皿３０とを備える。この容器１０に収容される食品は特に限定されるものではないが、例えば蕎麦、うどん、冷やし中華等の麺類、親子丼、中華丼、牛丼等の丼物（弁当）類等が主として収容される。
【００２６】
容器１０は、例えば合成樹脂シートの成形体からなる。容器１０を構成する合成樹脂シートとしては、ポリエチレン、ポリプロピレン、ポリスチレン、ポリエチレンテレフタレート等の熱可塑性樹脂のシート、さらにはポリ乳酸等の生分解性樹脂の熱可塑性樹脂のシート等が挙げられる。前記の合成樹脂シートは真空成形により図示をはじめとする各種形状に成形される。合成樹脂シートの厚さは適宜ではあるものの、概ね１ｍｍ以下の厚さである。また、容器１０の材料は、紙製その他の可撓性素材から製造することもできる。
【００２７】
容器１０を構成する容器本体１１、蓋体２０、中皿３０の組み合わせにおいて、それぞれ同一材料で形成してもよいし、異なる材料で形成してもよい。特に、容器１０を構成する容器本体１１、蓋体２０、中皿３０のうち、容器本体１１と蓋体２０は、合成樹脂シート等の可撓性素材に限らず、金属製、ガラス製、木製、紙製であってもよい。構成材料の種類は、用途、内容物、包装対象により適宜選択される。
【００２８】
容器本体１１は、容器１０に収容される食品のうち、米飯や麺等の主食材Ｆ１を収容する部材である。この容器本体１１は、図１，２に示すように、底部１２から立設された壁部１３の上部に容器本体開口１５を有する。容器本体１１の形状としては、主食材Ｆ１を収容してその上方に十分な空間が形成可能な椀形状、鉢（丼）形状、皿形状等、適宜の容器形状からなる。容器本体開口１５には、内周側近傍の壁部１３上部の全周に亘って内側段部１６が形成されており、外周側に外側へ折り返された縁部１７が形成されている。容器本体１１において、底部１２や容器本体開口１５の形状としては、円形状や多角形状等、用途に応じて適宜であり、底部１２と容器本体開口１５とが同形でもよいし、異なっていてもよい。実施形態の容器本体１１では、底部１２が略円形状、容器本体開口１５が略四角形状であり、壁部１３が略円形状の底部１２から容器本体開口１５へ向かって逆テーパ状に形成されている。
【００２９】
蓋体２０は、図１，２に示すように、容器本体１１の容器本体開口１５に着脱可能に嵌合するとともに、容器本体開口１５を被覆し、後出の中皿３０を保護する部材である。容器本体開口１５との嵌合に際しては、容器本体開口１５の内周側または外周側のいずれと嵌合してもかまわない。実施形態では、蓋体２０の鍔部２２外縁下部に形成された嵌合突部２５と容器本体開口１５の内周側とが嵌合される。図において、符号２１は蓋本体、２３は鍔部２２の角部に設けられて蓋体２０と容器本体開口１５との嵌合を解除しやすくする蓋つまみ部である。
【００３０】
中皿３０は、容器１０に収容される食品のうち、主食材Ｆ１以外の食材である具材Ｆ２が載置される部材である。中皿３０では、内側に設けられた略平面状の皿部３１に具材Ｆ２が載置されて、皿部３１の外周に立設された周壁部３２により、皿部３１に載置された具材Ｆ２の落下を防止する。周壁部３２は、後述する縁部４６Ａ，５６Ａを適切に切断して形成しやすくするために、例えば傾斜角度が約６０°、より好ましくは約４５°に形成されている。
【００３１】
中皿３０では、喫食前に主食材Ｆ１と具材Ｆ２との混合を避けてできたての食味に近づけるとともに、主食材Ｆ１と具材Ｆ２とを分離して具材Ｆ２を並べることで店頭販売時等での見た目の華やかさを演出する。この中皿３０は、図１，２に示すように、容器本体１１と蓋体２０との間に介在されて、容器本体１１の容器本体開口１５の内周側近傍に形成された内側段部１６に内装される。中皿３０の形状は容器本体１１の容器本体開口１５と略同形に形成され、例えば、平面視略四角形状、平面視略円形状等である。図示の例では、平面視略四角形状である。
【００３２】
ここで、本発明の中皿構造について説明する。本発明の中皿３０は、図３，４に示すように、左右２つの分割体（左分割体４０，右分割体５０）が一体化されてなる。図において、符号３３は周壁部３２の上部の全周に亘って外側へ延設された外縁部、３４ａは中皿３０の左角部、３４ｂは中皿３０の上角部、３４ｃは中皿３０の下角部、３４ｄは中皿３０の右角部である。
【００３３】
左右の分割体４０，５０は、図３，４に示すように、一体化により中皿３０の皿部３１と周壁部３２と外縁部３３とをそれぞれ形成する皿部（左皿部４１，右皿部５１）と周壁部（左周壁部４２，右周壁部５２）と外縁部（左外縁部４３，右外縁部５３）とをそれぞれ備える。左右の分割体４０，５０は、互いの形状を同一形状（一体化時は対称形状）としてもよいし、異なる形状としてもよい。特に同一形状とすれば、各分割体４０，５０を個別に製造する必要がなくて経済的であり、さらに中皿３０の左右どちらの分割体にも対応可能となって一体化に際して部材を取り違えるおそれがない。
【００３４】
左右の分割体４０，５０には、合着面（左合着面６０，右合着面７０）が形成されている。合着面６０，７０は、各分割体４０，５０の対向する皿部４１，５２の互いに摺接し重合する部位である。そして、合着面６０，７０の重合により、左右の分割体４０，５０が一体化される。そのため、右の分割体４０，５０の一体化時には、合着面６０，７０の重合により中皿３０の皿部３１の重合部分が二重構造となって、一体化の強度が向上する。
【００３５】
この中皿３０では、図５〜図７に示すように、左右の分割体４０，５０の一体化を解除して分割することにより、中皿３０に載置された具材Ｆ２を容器本体１１内へ落下させる。中皿３０の分割手順は、まず、図５に示すように、具材Ｆ２が載置された中皿３０を容器本体１１の容器本体開口１５から略水平状態で持ち上げて、容器本体１１の容器本体開口１５上方に配置する。この時、図７（ａ）に示すように、左右の分割体４０，５０は各合着面６０，７０が重合して一体化されている。
【００３６】
続いて、左右の分割体４０，５０の各周壁部４２，５２近傍を外方に引張ることにより、図７（ｂ）に示すように、各合着面６０，７０が摺動して、分割体４０，５０が左右に分離を開始する。そして、さらに外方に引張ることにより、図６及び図７（ｃ）に示すように、左右の分割体４０，５０が左右に分離して、合着面６０，７０同士の重合が完全に解除される。これにより、左右の分割体４０，５０の間に隙間Ｓが形成されて、皿部３１上の具材Ｆ２は、容器本体１１内へ落下する。なお、図示しないが、左右の分割体４０，５０を分離させた際に、それぞれ合着面６０，７０側を容器本体１１方向へ傾斜させることにより、具材Ｆ２が各分割体４０，５０の隙間Ｓ側へ集められて、より確実に容器本体１１へ具材Ｆ２を落下させることができる。
【００３７】
このように分離される中皿３０では、図３〜図６に示すように、左右の分割体４０，５０の左右の周壁部４２，５２近傍にそれぞれ指掛け部（左指掛け部４５，右指掛け部５５）が形成されている。指掛け部４５，５５は、一体化された分割体４０，５０を分離する際に使用者Ｍが指をかける部位である。指掛け部４５，５５の形状は、使用者Ｍが指をかけることで分割体４０，５０を容易に分離させることが可能であれば特に限定されない。例えば、少なくとも指が１本入る程度の凹部とすれば、指がかけやすくかつ力が加えやすくなる。そのため、載置された具材Ｆ２をこぼさずに安定して分割体４０，５０を分離させやすくなる。図示の例の指掛け部４５，５５は、中皿３０の上方向に膨出された凹部であり、中皿３０の下側から指をかけることができる。また、指掛け部４５，５５は中皿３０の上方向に膨出しているため、膨出部分の外周を指でつまんで引張ることも可能である。なお、左指掛け部４５は左分割体４０の引張り方向側の左角部４４ａ近傍に形成され、右指掛け部５５は右分割体５０の引張り方向側の右角部５４ａ近傍に形成されている。
【００３８】
次に、中皿３０を構成する左右の分割体４０，５０の形状のバリエーションを具体的に説明する。なお、以下の説明において、同一符号は同一の構成を表すものとして、説明を省略する。
【００３９】
図３，４は、本発明の第１実施形態に係る中皿３０Ａである。中皿３０Ａでは、左右の分割体４０Ａ，５０Ａの皿部４１Ａ，５１Ａの対向する縁部（左縁部４６Ａ，右縁部５６Ａ）に切り欠き部（左切り欠き部６５Ａ，右切り欠き部７５Ａ）が設けられている。分割体４０Ａ（５０Ａ）の縁部４６Ａ（５６Ａ）は、中皿３０Ａの上角部３４ｂと下角部３４ｃとを結ぶ中心線Ｃより対向する分割体５０Ａ（４０Ａ）側に突出した位置で、中心線Ｃ方向に直線的に形成される。切り欠き部６５Ａ（７５Ａ）は、上記縁部４６Ａ（５６Ａ）から中皿３０Ａの中心線Ｃに向かってくさび形状に切り欠いた部位である。くさび形状の切り欠き部６５Ａ（７５Ａ）は、縁部４６Ａ（５６Ａ）の複数個所（図示の例では２箇所）に形成されている。各縁部４６Ａ，５６Ａ及び各切り欠き部６５Ａ，７５Ａは、公知の切断装置により分割体が切断されて形成される。
【００４０】
中皿３０Ａでは、左右の切り欠き部６５Ａ，７５Ａを介して合着面６０Ａ，７０Ａが互いに摺接し重合して一体化されている。この中皿３０Ａでは、２箇所の左右の切り欠き部６５Ａ，６５Ａ，７５Ａ，７５Ａを境に、左合着面６０Ａと右合着面７０Ａとが交差して重合される。図示の例では、左右の合着面６０Ａ，７０Ａが、上角部３４ｂ側の左右の合着面６１ａ，７１ａと、中央側の左右の合着面６１ｂ、７１ｂと、下角部３４ｃ側の左右の合着面６１ｃ、７１ｃとに区切られている。そして、上角部３４ｂ側では左合着面６１ａが上面側で右合着面７１ａが下面側となり、中央側では右合着面７１ｂが上面側で左合着面６１ｂが下面側となり、下角部３４ｃ側では左合着面６１ｃが上面側で右合着面７１ｃが下面側となる。これにより、上角部３４ｂ側の合着面６１ａ，７１ａと、中央側の合着面６１ｂ，７１ｂと、下角部３４ｃ側の合着面６１ｃ，７１ｃとが連結される。そのため、合着面６０Ａ，７０Ａは、皿部３１Ａの面方向に対して強固に結合されて、皿部３１Ａに載置された具材からの荷重を受けても重合が解除されにくくなる。
【００４１】
また、中皿３０Ａでは、図３に示すように、皿部３１Ａに補強リブ３５が形成されている。補強リブ３５は、皿部３１Ａに所定の凹凸面を形成して皿部３１Ａの強度を向上させる部位である。補強リブ３５の形状は特に限定されないが、図示の例では、皿部３１Ａの上方に膨出した突条部である。この補強リブ３５は、皿部３１Ａの複数個所に設けられる。これにより、具材からの荷重による皿部３１Ａのたわみ等の発生が抑制され、左右の分割体４０Ａ，５０Ａの重合がより解除されにくくなる。また、補強リブ３５は、各縁部４６Ａ，５６Ａの適切な切断形成を可能とするために、、重合時に各縁部４６Ａ，５６Ａに到達しない位置に形成される。
【００４２】
補強リブ３５は、図４に示すように、左右の分割体４０Ａ，５０Ａの各皿部４１Ａ，５１Ａにそれぞれ形成される。そして、図３に示すように、各皿部４１Ａ，５１Ａの合着面６０Ａ，７０Ａで摺接し重合が可能に構成される。そのため、合着面６０Ａ，７０Ａは、補強リブ３５を介して位置決めされて適切に重合される。また特に、補強リブ３５は左右の分割体４０Ａ，５０Ａの引張方向と平行に形成されている。これにより、左右の分割体４０Ａ，５０Ａの引張時に重合する補強リブ３５，３５が摺動しやすくなる。そのため、左右の分割体４０Ａ，５０Ａを円滑に分離させることが可能となる。なお、図１，２，５，６では、補強リブ３５を省略している。
【００４３】
図８，９は、本発明の第２実施形態に係る中皿３０Ｂである。中皿３０Ｂでは、第１実施形態の中皿３０Ａのくさび形状の切り欠き部（左切り欠き部６５Ａ，右切り欠き部７５Ａ）の代わりに略釣鐘形状の切り欠き部（左切り欠き部６５Ｂ，右切り欠き部７５Ｂ）が複数個所（図示の例では２箇所）に設けられている。略釣鐘形状の切り欠き部６５Ｂ，７５Ｂは、切断形成しやすく、量産適正に優れる。
【００４４】
中皿３０Ｂでは、第１実施形態に係る中皿３０Ａと同様に、２箇所の左右の切り欠き部６５Ｂ，６５Ｂ，７５Ｂ，７５Ｂを境に、左合着面６０Ｂと右合着面７０Ｂとが交差して摺接し重合して一体化される。図示の例では、第１実施形態に係る中皿３０Ａと同様に、左右の合着面６０Ｂ，７０Ｂが、上角部３４ｂ側の左右の合着面６１ａ，７１ａと、中央側の左右の合着面６１ｂ、７１ｂと、下角部３４ｃ側の左右の合着面６１ｃ、７１ｃとに区切られている。そして、上角部３４ｂ側では左合着面６１ａが上面側で右合着面７１ａが下面側となり、中央側では右合着面７１ｂが上面側で左合着面６１ｂが下面側となり、下角部３４ｃ側では左合着面６１ｃが上面側で右合着面７１ｃが下面側となる。これにより、上角部３４ｂ側の合着面６１ａ，７１ａと、中央側の合着面６１ｂ，７１ｂと、下角部３４ｃ側の合着面６１ｃ，７１ｃとが連結される。そのため、合着面６０Ｂ，７０Ｂは、皿部３１Ｂの面方向に対して強固に結合されて、皿部３１Ｂに載置された具材からの荷重を受けても重合が解除されにくくなる。
【００４５】
また、中皿３０Ｂは、図８に示すように、皿部３１Ｂに補強リブ３５を有する。補強リブ３５は、図９に示すように、左右の分割体４０Ｂ，５０Ｂの各皿部４１Ｂ，５１Ｂにそれぞれ形成され、合着面６０Ｂ，７０Ｂで摺接し重合が可能に構成される。また、この補強リブ３５は、分割体４０Ｂ，５０Ｂの引張方向と略直交方向に形成されている。この補強リブ３５により、合着面６０Ｂ，７０Ｂが位置決めされて適切に重合されるとともに、皿部３１Ｂの強度が向上して具材からの荷重によるたわみ等の発生が抑制され、左右の分割体４０Ｂ，５０Ｂの重合がより解除されにくくなる。
【００４６】
図１０，１１は、本発明の第３実施形態に係る中皿３０Ｃである。中皿３０Ｃでは、左右の分割体４０Ｃ，５０Ｃの対向する縁部（左縁部４６Ｃ，右縁部５６Ｃ）が、それぞれ皿部４１Ｃ，５１Ｃの外周に沿って形成されている。各縁部４６Ｃ，５６Ｃには、中皿３０Ｃの中心線Ｃより対向する分割体５０Ｃ（４０Ｃ）側に突出した各角部３４ｂ、３４ｃ近傍から中心線Ｃ方向へ向かってくさび形状に切り欠いた切り欠き部（左切り欠き部６５Ｃ，右切り欠き部７５Ｃ）が設けられている。
【００４７】
中皿３０Ｃでは、第１実施形態に係る中皿３０Ａと同様に、２箇所の左右の切り欠き部６５Ｃ，６５Ｃ，７５Ｃ，７５Ｃを境に、左合着面６０Ｃと右合着面７０Ｃとが交差して摺接し重合して一体化される。図示の例では、左右の合着面６０Ｃ，７０Ｃが、上角部３４ｂ近傍の周壁部３２に相当する左右の合着面６２ａ，７２ａと、皿部４１Ｃ，５１Ｃに相当する左右の合着面６２ｂ，７２ｂと、下角部３４ｃ近傍の周壁部３２に相当する左右の合着面６２ｃ，７２ｃとに区切られている。そして、上角部３４ｂ近傍の周壁部３２では左合着面６２ａが上面側で右合着面７２ａが下面側となり、皿部３１Ｃでは右合着面７２ｂが上面側で左合着面６２ｂが下面側となり、下角部３４ｃ近傍の周壁部３２では左合着面６２ｃが上面側で右合着面７２ｃが下面側となる。これにより、上角部３４ｂ近傍の合着面６２ａ，７２ａと、皿部３１Ｃの合着面６２ｂ，７２ｂと、下角部３４ｃ近傍の合着面６２ｃ，７２ｃとが連結される。そのため、合着面６０Ｃ，７０Ｃは、第１実施形態と同様に、皿部３１Ｃの面方向に対して強固に結合されて、皿部３１Ｃに載置された具材からの荷重を受けても重合が解除されにくくなる。
【００４８】
また、中皿３０Ｃは、図１０に示すように、皿部３１Ｃに補強リブ３５を有する。補強リブ３５は、図１１に示すように、左右の分割体４０Ｃ，５０Ｃの各皿部４１Ｃ，５１Ｃにそれぞれ形成され、合着面６０Ｃ，７０Ｃで摺接し重合が可能に構成される。また、この補強リブ３５は、分割体４０Ｃ，５０Ｃの引張方向と平行に形成されている。この補強リブ３５により、合着面６０Ｃ，７０Ｃが位置決めされて適切に重合されるとともに、皿部３１Ｃの強度が向上して具材からの荷重によるたわみ等の発生が抑制され、左右の分割体４０Ｃ，５０Ｃの重合がより解除されにくくなる。そして、左右の分割体４０Ｃ，５０Ｃの引張時には補強リブ３５，３５が摺動しやすくなるため、円滑な分離が可能となる。
【００４９】
図１２，１３は、本発明の第４実施形態に係る中皿３０Ｄである。中皿３０Ｄでは、左右の分割体４０Ｄ，５０Ｄの皿部４１Ｄ，５１Ｄの対向する縁部（左縁部４６Ｄ，右縁部５６Ｄ）にスリット部（左スリット部６６Ｄ，右スリット部７６Ｄ）が設けられている。分割体４０Ｄ（５０Ｄ）の縁部４６Ｄ（５６Ｄ）は、中皿３０Ｄの上角部３４ｂと下角部３４ｃとを結ぶ中心線Ｃより対向する分割体５０Ｄ（４０Ｄ）側に突出した位置で、中心線Ｃ方向に直線的に形成される。スリット部６６Ｄ（７６Ｄ）は、上記縁部４６Ａ（５６Ａ）の中心から皿部３１Ｃの中心線Ｃに向かって直線的に切り込まれた部位である。このスリット部６６Ｄ（７６Ｄ）は形成が容易であるため、製造効率が向上する。
【００５０】
中皿３０Ｄでは、左右のスリット部６６Ｄ，７６Ｄを介して合着面６０Ｄ，７０Ｄが互いに摺接し重合して一体化されている。この中皿３０Ｄでは、左右のスリット部６６Ｄ，７６Ｃを境に、左合着面６０Ｄと右合着面７０Ｄとが交差して重合される。図示の例では、左右の合着面６０Ｄ，７０Ｄが、上角部３４ｂ側の左右の合着面６３ａ，７３ａと、下角部３４ｃ側の左右の合着面６３ｂ、７３ｂとに区切られている。そして、上角部３４ｂ側では左合着面６３ａが上面側で右合着面７３ａが下面側となり、下角部３４ｃ側では右合着面７３ｂが上面側で左合着面６３ｂが下面側となる。これにより、上角部３４ｂ側の合着面６３ａ，７３ａと、下角部３４ｃ側の合着面６３ｂ，７３ｂとが連結される。そのため、合着面６０Ｄ，７０Ｄは、皿部３１Ｄの面方向に対して強固に結合されて、皿部３１Ｄに載置された具材からの荷重を受けても重合が解除されにくくなる。
【００５１】
図１４，１５は、本発明の第５実施形態に係る中皿３０Ｅである。中皿３０Ｅでは、左右の分割体４０Ｅ，５０Ｅの対向する縁部（左縁部４６Ｅ，右縁部５６Ｅ）に複数（図示の例では２つずつ）のスリット部６６Ｅ，６６Ｅ，７６Ｅ，７６Ｅが設けられている。この中皿３０Ｅでは、２箇所のスリット部６６Ｅ，６６Ｅ，７６Ｅ，７６Ｅを境に、左合着面６０Ｅと右合着面７０Ｅとが交差して摺接し重合して一体化される。図示の例では、左右の合着面６０Ｅ，７０Ｅが、上角部３４ｂ側の左右の合着面６１ａ，７１ａと、中央側の左右の合着面６１ｂ、７１ｂと、下角部３４ｃ側の左右の合着面６１ｃ、７１ｃとに区切られている。そして、上角部３４ｂ側では左合着面６１ａが上面側で右合着面７１ａが下面側となり、中央側では右合着面７１ｂが上面側で左合着面６１ｂが下面側となり、下角部３４ｃ側では左合着面６１ｃが上面側で右合着面７１ｃが下面側となる。これにより、上角部３４ｂ側の合着面６１ａ，７１ａと、中央側の合着面６１ｂ，７１ｂと、下角部３４ｃ側の合着面６１ｃ，７１ｃとが連結される。そのため、合着面６０Ｅ，７０Ｅは、皿部３１Ｅの面方向に対して強固に結合されて、皿部３１Ｅに載置された具材からの荷重を受けても重合が解除されにくくなる。
【００５２】
以上図示し説明したように、本発明の中皿構造は、左右２つの分割体の対向する皿部に互いに摺接し重合する合着面が形成され、各合着面の重合により左右の分割体が一体化されている。そして、左右の分割体の各周壁部近傍を外方に引張ることにより合着面が摺動して分割体が左右に分離して両者の重合が解除されて、中皿上の具材が容器本体内へ落下する。このように、左右の分割体を外方に引張るだけの極めて簡便な手順によって、中皿上の具材を容器本体内へ円滑に移し替えることが可能である。
【００５３】
特に、この中皿構造では、皿部の対向する縁部に、切り欠き部やスリット部が設けられて、切り欠き部またはスリット部を介して各合着面が互いに摺接し重合する。これにより、各合着面が切り欠き部またはスリット部を介して交差して重合されるため、左右の分割体が皿部の面方向に対して強固に結合されて、重合が解除されにくくなる。
【００５４】
なお、本発明の中皿構造を備えた容器の材質、大きさ、形状等は、容器の使用目的、収容物品の種類を勘案して最適に選択される。このため、図示し詳述した実施形態の構成や物品のみには限定されない。例えば、実施形態に開示の麺類や丼物とそのトッピングの物品に限られず、弁当類、炒飯、ナシゴレン、ピラフ、またはオープンサンドイッチ、サラダ等に対し、クラッカー、オムレツ、麻婆豆腐等の惣菜のトッピングも想定できる。アイスクリーム、ホットケーキ、ケーキ類、パフェやサンデー、あんみつ、ぜんざい、杏仁豆腐等の菓子類に対し、栗、アーモンド、チョコレート、こしあんや粒あん等のトッピングのように種々の食品包装への適用が可能である。
【産業上の利用可能性】
【００５５】
以上の通り、本発明の容器の中皿構造は、中皿を構成する左右の分割体を互いに外方へ引張るだけの極めて単純な手順で中皿上の具材の移し替えを行うことができる。従って、主食材と具材等の複数の食材を分離して収容する加工食品用の容器の中皿としての使用に最適である。
【符号の説明】
【００５６】
１０  容器
１１  容器本体
１２  底部
１３  壁部
１５  容器本体開口
１６  内側段部
１７  縁部
２０  蓋体
２１  蓋本体
２２  鍔部
２３  蓋つまみ部
２５  嵌合突部
３０，３０Ａ，３０Ｂ，３０Ｃ，３０Ｄ，３０Ｅ  中皿
３１，３１Ａ，３１Ｂ，３１Ｃ，３１Ｄ，３１Ｅ  皿部
３２  周壁部
３３  外縁部
３４ａ  左角部
３４ｂ  上角部
３４ｃ  下角部
３４ｄ  右角部
３５  補強リブ
４０，４０Ａ，４０Ｂ，４０Ｃ，４０Ｄ，４０Ｅ  左分割体
４１，４１Ａ，４１Ｂ，４１Ｃ，４１Ｄ，４１Ｅ  左皿部
４２  左周壁部
４３  左外縁部
４４ａ  左分割体の左角部
４５  左指掛け部
４６Ａ，４６Ｂ，４６Ｃ，４６Ｄ  左縁部
５０，５０Ａ，５０Ｂ，５０Ｃ，５０Ｄ，５０Ｅ  右分割体
５１，５１Ａ，５１Ｂ，５１Ｃ，５１Ｄ，５１Ｅ  右皿部
５２  右周壁部
５３  右外縁部
５４ａ  右分割体の右角部
５５  右指掛け部
５６Ａ，５６Ｂ，５６Ｃ，５６Ｄ  右縁部
６０，６０Ａ，６０Ｂ，６０Ｃ，６０Ｄ，６０Ｅ  左合着面
６１ａ  上角部側の左合着面
６１ｂ  中央側の左合着面
６１ｃ  下角部側の左合着面
６２ａ  上角部側近傍の周壁部に相当する左合着面
６２ｂ  皿部に相当するの左合着面
６２ｃ  下角部側近傍の周壁部に相当する左合着面
６３ａ  上角部側の左合着面
６３ｂ  下角部側の左合着面
６５Ａ，６５Ｂ，６５Ｃ  左切り欠き部
６６Ｄ，６６Ｅ  左スリット部
７０，７０Ａ，７０Ｂ，７０Ｃ，７０Ｄ，７０Ｅ  右合着面
７１ａ  上角部側の右合着面
７１ｂ  中央側の右合着面
７１ｃ  下角部側の右合着面
７２ａ  上角部側近傍の周壁部に相当する右合着面
７２ｂ  皿部に相当するの右合着面
７２ｃ  下角部側近傍の周壁部に相当する右合着面
７３ａ  上角部側の右合着面
７３ｂ  下角部側の右合着面
７５Ａ，７５Ｂ，７５Ｃ  右切り欠き部
７６Ｄ，７６Ｅ  右スリット部
Ｃ    中心線
Ｆ１  主食材
Ｆ２  具材
Ｍ    使用者
【図１】
2019089567.tif 000003
【図２】
2019089567.tif 000004
【図３】
2019089567.tif 000005
【図４】
2019089567.tif 000006
【図５】
2019089567.tif 000007
【図６】
2019089567.tif 000008
【図７】
2019089567.tif 000009
【図８】
2019089567.tif 000010
【図９】
2019089567.tif 000011
【図１０】
2019089567.tif 000012
【図１１】
2019089567.tif 000013
【図１２】
2019089567.tif 000014
【図１３】
2019089567.tif 000015
【図１４】
2019089567.tif 000016
【図１５】
2019089567.tif 000017